(57)【要約】  【課題】  ＢＳ／ＣＳデジタル放送、ＣＡＴＶ、地上波デジタル放送により、ユーザには多くのコンテンツが提供されている。ユーザにとっては、多くのコンテンツの中から自分が視聴したいコンテンツを選び出すことは手間がかかる作業と言える。  【解決手段】  蓄積媒体を効率的に使うことにより、多くのコンテンツデータの中からユーザが視聴したいコンテンツデータだけを選出し、ユーザが視聴しやすいように、ユーザが所望するコンテンツデータだけで編成されたユーザ所望番組を構成するように構成された受信装置、およびユーザ所望番組構成方法である。【選択図】  図１７
2005244472.tif 000002
【特許請求の範囲】
【請求項１】
コンテンツデータおよび番組情報を受信するデータ受信部と、
前記データ受信部で受信した前記コンテンツデータをデコードし、外部に出力するデコード・出力部と、
蓄積媒体に前記コンテンツデータおよび番組情報を蓄える蓄積部と
を備えた受信装置において、
ユーザの嗜好を入力するためのユーザ嗜好入力部と、
前記データ受信部で受信した前記番組情報に対して、前記ユーザ嗜好入力部で入力されたユーザ嗜好に合致するコンテンツデータを選出し、合致するコンテンツデータが存在しない時間帯では前記蓄積媒体内のコンテンツデータを選出するユーザ所望番組選出部とを備え、
前記デコード・出力部では前記ユーザ所望番組選出部において選出されたコンテンツデータを独自のチャンネルとして出力することを特徴とする受信装置。
【請求項２】
さらに、ユーザが視聴可能な時間帯を入力するユーザ視聴時間入力部を備え、
前記ユーザ所望番組選出部は、前記データ受信部で受信した前記番組情報に対して、前記ユーザ嗜好入力部で入力されたユーザ嗜好および前記ユーザ視聴時間入力部で入力された時間帯に合致するコンテンツデータを選出することを特徴とする請求項１に記載の受信装置。
【請求項３】
さらに、前記データ受信部において受信されたコンテンツデータを前記デコード・出力部に送出するかまたは前記蓄積部に送出するかを切り替えるデータ出力切り替え部を備え、
前記ユーザ所望番組選出部において選出されたコンテンツデータを前記蓄積部に送出して前記蓄積媒体に蓄えることを特徴とする請求項１または請求項２に記載の受信装置。
【請求項４】
さらに、前記蓄積媒体内のコンテンツデータ、番組情報に対して追加または削除を行った場合に、前記追加または削除されたコンテンツデータの番組情報を前記ユーザ所望番組選出部に通知する蓄積媒体変更通知部を備え、
前記ユーザ所望番組選出部は、前記蓄積媒体変更通知部からの通知に従ってユーザ所望のコンテンツデータを再選出することを特徴とする請求項１から請求項３までのいずれかに記載の受信装置。
【請求項５】
さらに、前記ユーザ所望番組選出部によって選出されたコンテンツデータの番組情報を用いることにより、前記デコード・出力部において出力するコンテンツデータの情報リストであるユーザ所望番組リストを作成し、モニタに出力するユーザ所望番組リスト作成部を備え、
電子番組情報に前記ユーザ所望番組リストを付加して表示することを特徴とする請求項１から請求項４までのいずれかに記載の受信装置。
【請求項６】
請求項４に記載の蓄積媒体変更通知部を備え、前記蓄積媒体変更通知部からのコンテンツデータの変更の通知を前記ユーザ所望番組選出部が受けた場合に、前記ユーザ所望番組リスト作成部は前記ユーザ所望番組リストを再編成することを特徴とする請求項５に記載の受信装置。
【請求項７】
受信されたコンテンツデータおよび蓄積媒体に蓄積されているコンテンツデータの中からユーザが所望する複数のコンテンツデータの再生する順序を構成するユーザ所望番組構成方法であって、前記受信されたコンテンツデータを優先的に再生し、ユーザが所望するコンテンツデータが再生されていない場合は、前記蓄積媒体に蓄積されているコンテンツデータを再生することを特徴とするユーザ所望番組構成方法。
【請求項８】
前記ユーザ所望のコンテンツデータを選出した結果、同一時間帯に複数のユーザ所望のコンテンツデータが選出された場合、そのうちの１つのコンテンツデータをリアルタイムで放送し、その他のユーザ所望のコンテンツデータを前記蓄積媒体に蓄え、蓄えられたコンテンツデータはユーザ所望のコンテンツデータの放送空き時間に組み込むことを特徴とする請求項７記載のユーザ所望番組構成方法。
【請求項９】
リアルタイムで放送するユーザ所望のコンテンツデータを選出した結果、そのコンテンツデータの放送空き時間において前記蓄積媒体に蓄えられた各コンテンツデータを埋め込むには十分な放送空き時間がない場合、リアルタイムで放送予定のユーザ所望のコンテンツデータを前記蓄積媒体に蓄積することによって放送時間を遅らせ、前記蓄積媒体に蓄えられているコンテンツデータを組み込むための時間を確保することを特徴とする請求項７または請求項８に記載のユーザ所望番組構成方法。
【請求項１０】
リアルタイムで放送するユーザ所望のコンテンツデータを選出した結果、そのコンテンツデータの放送空き時間において前記蓄積媒体に蓄えられた各コンテンツデータを埋め込むには十分な放送空き時間がない場合、前記蓄積媒体内のコンテンツデータを分割することによってユーザ所望のコンテンツデータの放送空き時間に組み込むことを特徴とする請求項７または請求項８に記載のユーザ所望番組構成方法。
【請求項１１】
リアルタイムで放送するユーザ所望のコンテンツデータを選出した結果、そのコンテンツデータの放送空き時間において前記蓄積媒体に蓄えられた各コンテンツデータを埋め込む際に、各コンテンツデータに対して番組情報から優先度を付加することによって、前記蓄積媒体内のコンテンツデータの埋め込み方を変更することを特徴とする請求項９または請求項１０記載のユーザ所望番組構成方法。
【請求項１２】
ユーザ所望のコンテンツデータとして選出されている蓄積媒体内のコンテンツデータ、番組情報が削除された場合、削除されたコンテンツデータ以降のユーザ所望のコンテンツデータを再選出することを特徴とする請求項７から請求項１１までのいずれかに記載のユーザ所望番組構成方法。
【請求項１３】
蓄積媒体に新たなコンテンツデータ、番組情報が追加された場合、そのコンテンツデータをユーザ所望のコンテンツデータとして選出するかどうかを決定し、新たにユーザ所望のコンテンツデータを再選出することを特徴とする請求項７から請求項１１までのいずれかに記載のユーザ所望番組構成方法。
【発明の詳細な説明】
【技術分野】
【０００１】
本発明は、音声・映像を含むマルチメディアのコンテンツデータに、放送時間、番組名等を含む番組情報が多重化された放送システムに関し、特に番組情報からユーザの所望するコンテンツデータを自動的に選出して放送する受信装置、およびユーザ所望番組構成方法に関するものである。
【背景技術】
【０００２】
現在のデジタル放送では、ＢＳ／ＣＳデジタル放送、ＣＡＴＶ、地上波デジタル放送等が行われており、ユーザに提供されるコンテンツが増加する傾向にある。ユーザにとっては、視聴できるコンテンツが多くなるにつれて、その膨大な量のコンテンツの中から自分が視聴したいコンテンツを選び出さなければならず、大変に煩わしいという問題が生じる。
【０００３】
このような問題を鑑みて、自動的にユーザが所望するコンテンツを検索し、該当するコンテンツだけを放送する技術が特許文献１において開示されている。この技術は、現在、デジタル放送で用いられているＭＰＥＧ２−ＴＳ（Transport Stream）方式を利用したものである。このＭＰＥＧ２−ＴＳ方式では、１本のトランスポートストリームの中に複数の映像・音声をパケット単位で多重化して送信を行う。多重化を行う際、映像・音声以外にも、番組名、コンテンツの放送時間、番組内容の紹介データ等の番組情報も同じストリーム内に多重化することが可能である。この番組情報に対してユーザが所望するコンテンツのジャンル、番組名を入力することによって、視聴するコンテンツを絞り込む。結果として、ユーザは所望するコンテンツデータを選出しやすくなる。
【０００４】
また近年、ＨＤＤ（Hard Disk Drive）やＤＶＤ（DigitalVersatile Disk）に代表される蓄積媒体を備えた受信装置が開発されており、デジタル放送のストリームを番組情報も含めた形式で蓄積することが可能となっている。これらの装置では、ユーザが所望するコンテンツの番組情報を受信装置側で自動検索し、蓄積媒体に蓄える（例えば、特許文献２参照）。
【特許文献１】特開平１１−１８７３２４号公報（第６頁、第１図）
【特許文献２】特開平１１−１９６３８５号公報（第６−８頁、第１図）
【発明の開示】
【発明が解決しようとする課題】
【０００５】
しかしながら、上記特許文献２において開示されている技術のように自動録画機能を有する受信装置では、ユーザが所望したコンテンツデータを蓄積媒体に機械的に蓄積していくものであり、蓄積媒体内に蓄えられたコンテンツデータをユーザが視聴しやすいように構成する機能は実現されていない。
【０００６】
また、コンテンツデータを蓄積する機能を有することによって、ユーザにとってはリアルタイムに放送されているものに加え、蓄積媒体内に蓄積されたコンテンツデータも視聴対象となることになる。つまり、ユーザが現在最も視聴したいコンテンツデータを探し出すことはますます困難になるといえる。
【０００７】
本発明の目的は、このような問題に鑑みて、蓄積媒体を備え、ユーザが視聴したいコンテンツデータを自動で選出する機能を有する受信装置において、選出されたコンテンツデータから、ユーザが視聴したいように自動的にユーザ所望番組を構成する装置、および構成方法を提供することである。
【課題を解決するための手段】
【０００８】
上記の目的を達成するために、本発明は以下の構成を採用した。
【０００９】
本発明における第１の受信装置（請求項１相当）は、従来の受信装置が備えるデータ受信部、デコード・出力部および蓄積部に加え、ユーザ所望番組選出部およびユーザ嗜好入力部を備える。データ受信部では、複数の映像・音声を含むコンテンツデータと、番組名、番組内容等の番組情報が１つのストリームに多重化されたストリームデータを受信する。ユーザ嗜好入力部においてユーザが視聴したいコンテンツデータの番組名、コンテンツのジャンル等のユーザ嗜好を入力し、ユーザ所望番組選出部において、入力されたユーザ嗜好に従って上記番組情報を検索することによって所望のコンテンツデータをユーザ所望のコンテンツデータとして選出する。ユーザが所望するコンテンツデータが放送されていない時間帯には、蓄積媒体内の番組情報に対して、ユーザ嗜好に合致するコンテンツデータを検索し、合致するものが存在すればその番組情報に対応するコンテンツデータをユーザ所望のコンテンツデータとして組み込む。
【００１０】
本発明における第２の受信装置（請求項２相当）は、上記第１の受信装置において、さらに、ユーザが視聴する時間帯を入力するためユーザ視聴時間入力部を備える。前記ユーザ所望番組選出部は、データ受信部で受信した番組情報に対して、ユーザ嗜好入力部で入力されたユーザ嗜好およびユーザ視聴時間入力部で入力された時間帯に合致するコンテンツデータを選出するように構成されている。ユーザ視聴時間入力部において入力されたユーザ視聴時間をユーザ所望番組選出部に通知することによって、番組情報検索の際、視聴時間にユーザが最も視聴したいコンテンツデータを優先的に選出する。
【００１１】
本発明における第３の受信装置（請求項３相当）は、上記第１または第２の受信装置において、データ受信部において受信されたデータを蓄積媒体に蓄積するか、デコード・出力部に出力するかを切り替えるデータ出力切り替え部を備える。データ出力切り替え部には、ユーザ所望番組選出部において選出された結果を受けて、選出されたコンテンツデータをデコード・出力部に送出しユーザ所望のコンテンツデータとして放送するか、蓄積部に送出して蓄積媒体に蓄積するかを切り替える。蓄積部に送出する場合は、蓄積されるコンテンツデータに対応する番組情報も共に蓄積する。
【００１２】
本発明における第４の受信装置（請求項４相当）は、上記第１〜第３の受信装置において、蓄積媒体内のコンテンツデータに対して追加または削除を行ったことをユーザ所望番組選出部に通知するための蓄積媒体変更通知部を備える。蓄積媒体内のコンテンツデータをユーザが追加または削除した場合、その変更されたコンテンツデータの番組情報と、蓄積媒体内のコンテンツデータが変更されたという通知を、蓄積媒体変更通知部からユーザ所望番組選出部に対して送信する。その通知を受け取ったユーザ所望番組選出部はユーザ所望のコンテンツデータの再構成を行う。
【００１３】
本発明における第５の受信装置（請求項５相当）は、上記第１〜第４の受信装置において、さらに、ユーザ所望のコンテンツデータの構成を示したユーザ所望番組リストを作成し、電子番組情報（ＥＰＧ）に付加して表示するためのユーザ所望番組リスト作成部を備える。ユーザ所望番組リスト作成部では、ユーザ所望番組選出部において選出されたコンテンツデータの番組情報を受け取り、ユーザ所望番組リストを作成する。
【００１４】
本発明における第６の受信装置（請求項６相当）は、上記第４の受信装置の蓄積媒体変更通知部と上記第５の受信装置のユーザ所望番組リスト作成部とを備えた受信装置において、蓄積媒体内のコンテンツデータが変更された場合に、ユーザ所望番組リストを再構成する。蓄積媒体内のコンテンツデータをユーザが追加または削除した場合、その変更されたコンテンツデータの番組情報と、蓄積媒体内のコンテンツデータが変更されたという通知を、蓄積媒体変更通知部からユーザ所望番組選出部に通知する。蓄積媒体の変更通知を受けたユーザ所望番組選出部では、ユーザ所望のコンテンツデータの再構成を行う。再構成を行った結果、選出されたユーザ所望のコンテンツデータの番組情報をユーザ所望番組リスト作成部に通知することによって、更新されたユーザ所望番組リストが表示される。
【００１５】
本発明における第１のユーザ所望番組構成方法（請求項７相当）は、ユーザが入力したユーザ嗜好に合致したコンテンツデータの番組情報を検索した結果から、ユーザ所望のコンテンツデータを構成する方法である。本方法では、データ受信部で受信されたコンテンツデータの番組情報を検索することにより、ユーザ嗜好に合致したコンテンツデータを選出し、時系列にリスト化する。ユーザ所望のコンテンツデータの放送空き時間に蓄積媒体内のコンテンツデータを組み込むために、蓄積媒体内のコンテンツデータの番組情報を検索し、ユーザ嗜好に合致するコンテンツデータを選出する。選出された結果に従い、ユーザ所望のコンテンツデータの放送空き時間には選出された蓄積媒体内のコンテンツデータを組み込む。
【００１６】
本発明における第２のユーザ所望番組構成方法（請求項８相当）は、上記第１のユーザ所望番組構成方法において、ユーザ所望のコンテンツデータを構成する際、放送時間が重なったコンテンツデータを選出した場合におけるユーザ所望番組構成方法である。データ受信部で受信されたコンテンツデータの番組情報を検索した結果、放送時間が重なったコンテンツデータを複数選出した場合、それらのコンテンツデータの中で最もユーザ嗜好に合致したコンテンツデータを選出する。その結果、選出されたユーザ所望のコンテンツデータは、リアルタイムで放送するものとし、それ以外のコンテンツデータと、それに対応する番組情報は蓄積媒体内に蓄えられるようデータ出力切り替え部に通知する。
【００１７】
本発明における第３のユーザ所望番組構成方法（請求項９相当）は、上記第１、第２のユーザ所望番組構成方法において、蓄積媒体内のコンテンツデータを組み込むための放送空き時間が十分にない場合の番組構成方法である。ユーザ所望のコンテンツデータを時系列にリスト化し、その放送空き時間を計算する。蓄積媒体内のコンテンツデータの放送時間に対して、ユーザ所望のコンテンツデータの放送空き時間が短い場合は、先のユーザ所望のコンテンツデータの検索において選出されたコンテンツデータを一旦、蓄積媒体に蓄え、そのコンテンツデータの放送時間をずらすことによって蓄積媒体内のコンテンツデータを組み込むための時間を確保する。
【００１８】
本発明における第４のユーザ所望番組構成方法（請求項１０相当）は、上記第１のユーザ所望番組構成方法において、蓄積媒体内のコンテンツデータを組み込むための放送空き時間が十分にない場合の番組構成方法である。前記請求項７記載の構成方法において、ユーザ所望のコンテンツデータを時系列にリスト化し、その放送空き時間を計算する。蓄積媒体内のコンテンツデータの放送時間に対して、ユーザ所望のコンテンツデータの放送空き時間が短い場合は、蓄積媒体内のコンテンツデータの中から選出されたコンテンツデータを、時間的に分割することによってユーザ所望のコンテンツデータの放送空き時間に組み込む。
【００１９】
本発明における第５のユーザ所望番組構成方法（請求項１１相当）は、ユーザ所望番組においてリアルタイムで放送されるコンテンツデータが決定され、蓄積媒体内のコンテンツデータを埋め込む際に、番組情報とユーザ嗜好から、各コンテンツデータに優先度を付加することによって、蓄積媒体内のコンテンツデータの埋め込み方を変更する。
【００２０】
本発明における第６のユーザ所望番組構成方法（請求項１２相当）は、上記第６の受信装置においてユーザが蓄積媒体内のコンテンツデータを削除した場合に対するユーザ所望番組再構成方法である。本方法では、ユーザが蓄積媒体内のコンテンツデータを削除した通知を受けた場合、まず削除したコンテンツデータがユーザ所望番組に登録されているかどうかを判断する。ユーザ所望番組に登録されていなければ、ユーザ所望のコンテンツデータを再構成する必要はない。削除されるコンテンツデータがユーザ所望番組に登録されている場合は、削除されるコンテンツデータをユーザ所望番組から削除し、その時間をユーザ所望のコンテンツデータの放送空き時間とする。削除した結果、放送空き時間となった箇所には、前記第３〜第５の方法を用いることにより蓄積媒体内のコンテンツデータを組み込む処理を行う。
【００２１】
本発明における第７のユーザ所望番組構成方法（請求項１３相当）は、上記第６の受信装置においてユーザが蓄積媒体に対して新たなコンテンツデータを追加した場合に対する、ユーザ所望番組再構成方法である。本方法では、ユーザが蓄積媒体に対して新たなコンテンツデータを追加した場合、追加されたコンテンツデータの優先度をユーザ嗜好に照らし合わせることにより設定する。追加されたコンテンツデータがユーザ所望番組に登録するに値するものであれば、追加された時刻以降のユーザ所望のコンテンツデータを再構成する。なお、本方法においてコンテンツデータを追加する際は、常に番組情報も共に蓄積されるものとする。
【発明の効果】
【００２２】
第１の受信装置によれば、ユーザは多くのコンテンツデータの中から自分が視聴したいコンテンツデータを探す手間なしに、自分が視聴したいコンテンツデータのキーワード（番組名、コンテンツのジャンル等）を入力するだけで、所望のコンテンツのみを視聴することができる。また、ユーザが所望するコンテンツデータが放送されていないときには、蓄積媒体内に蓄えられたコンテンツデータを自動的に視聴することが可能となる。
【００２３】
第２の受信装置によれば、ユーザが視聴可能な時間帯を入力することにより、第１の受信装置より詳細な番組検索を行うことが可能となり、また、入力されたユーザ嗜好とユーザ視聴時間とを組み合わせることにより、時間帯によって視聴するコンテンツの種類を指定することが可能となる。
【００２４】
第３の受信装置によれば、時間的に重なったユーザ所望のコンテンツデータが複数選出された場合において、ユーザ嗜好に最も合致したコンテンツを視聴しながら、その他のコンテンツデータを蓄積媒体に蓄えることにより、ユーザが所望したコンテンツを漏らさず視聴することが可能となる。
【００２５】
第４の受信装置によれば、ユーザがユーザ所望番組に登録されているコンテンツデータを削除した場合や、新たなコンテンツデータを蓄積媒体に追加した場合においても、ユーザの手を煩わせることなく、ユーザ所望のコンテンツデータの再構成を行うことが可能となる。その効果の一例として、ユーザ所望番組にユーザ嗜好に合わないコンテンツデータが含まれていると判断した場合、そのコンテンツデータを削除するだけで、それ以降のユーザ所望のコンテンツデータの再構成を行うことが可能となる。
【００２６】
第５の受信装置によれば、受信装置内で自動的に選出されたユーザ所望のコンテンツデータの今後の構成をあらかじめユーザ所望番組リストとして表示することにより、ユーザはユーザ所望のコンテンツを実際に視聴する前に、どのようなコンテンツが放送されるのかを知ることができる。また、ユーザはあらかじめユーザの嗜好に合うものでないと判断することができる。その結果として、新たなユーザ嗜好を入力すれば、ユーザ所望のコンテンツデータの再構成を行うことが可能となる。
【００２７】
第６の受信装置によれば、ユーザの嗜好に合うように蓄積媒体に対してコンテンツデータを追加、削除し、その結果、ユーザ所望のコンテンツデータの構成が変更された場合において、ユーザは実際にユーザ所望のコンテンツを視聴する前に、ユーザ所望番組リストを参照するだけで、その後のユーザ所望のコンテンツデータの構成を知ることが可能となる。
【００２８】
第１のユーザ所望番組構成方法によれば、ユーザは蓄積媒体内に蓄えられたコンテンツデータや、データ受信部で受信した多くのコンテンツデータの中から、自分の視聴したいコンテンツデータだけを選び出すことをせずに、自分の視聴したいコンテンツだけを視聴することが可能となる。
【００２９】
第２のユーザ所望番組構成方法によれば、ユーザ嗜好に合致したコンテンツデータを選出した結果、時間的に重なったものが複数選出された場合、ユーザはそれらのコンテンツの何れも見逃すことなく視聴することが可能となる。
【００３０】
第３または第４のユーザ所望番組構成方法によれば、ユーザが所望するコンテンツデータの放送空き時間がいかに短くても、なるべく放送空き時間が少なくなるように、またユーザがその時間帯に最も視聴したいコンテンツを放送できるように、ユーザ所望のコンテンツデータの構成を行うことが可能となる。
【００３１】
第５のユーザ所望番組構成方法によれば、ユーザ所望のコンテンツデータの放送空き時間において蓄積媒体の組み込み方をユーザが指定する手間を省け、ユーザはユーザ嗜好を入力するだけで、自動的にユーザ嗜好に合った番組構成のコンテンツを視聴することが可能となる。
【００３２】
第６のユーザ所望番組構成方法によれば、ユーザが蓄積媒体内のコンテンツデータを削除した場合、ユーザ所望番組に登録されているのにコンテンツデータが存在しないといった不具合が発生することなく、また、ユーザにとっては、ユーザ所望番組に嗜好に合わないコンテンツデータが存在した場合にそのコンテンツデータを削除するだけで、ユーザ嗜好により合致した番組構成を得ることが可能となる。
【００３３】
第７のユーザ所望番組構成方法によれば、蓄積媒体に新たなコンテンツデータを追加した場合、追加されたコンテンツデータを含めたユーザ所望のコンテンツデータの再構成を行うことにより、ユーザはデータ受信部で受信したコンテンツデータを見逃すことなく、追加されたコンテンツを視聴することが可能となる。
【発明を実施するための最良の形態】
【００３４】
以下、本発明にかかわる受信装置およびユーザ所望番組構成方法の実施の形態を図面に基づいて詳細に説明する。
【００３５】
（第１の実施形態）
以下、図面を参照して、本発明の第１の実施形態に係わる受信装置について説明する。第１の実施形態における受信装置の構成を示すブロック図を図１に、そのときのユーザ所望番組構成方法の概念図を図２に示す。
【００３６】
本実施形態の受信装置０１００は、データ受信部０１０１、デコード・出力部０１０２、蓄積部０１０３、ユーザ嗜好入力部０１０４、ユーザ所望番組選出部０１０５からなる。データ受信部０１０１では、複数の映像・音声を含んだコンテンツデータと、番組名、番組放送時間、番組内容等のデータを含んだ番組情報を受信する。データ受信部０１０１で受信されたコンテンツは、デコード・出力部０１０２に送信される。デコード・出力部０１０２においては、データ受信部０１０１で受信されたコンテンツデータの中から、ユーザが指定するチャンネルのコンテンツデータだけを抜き出し、音声データは音声として、映像データは映像としてデコードされ、本受信装置０１００から出力される。本受信装置０１００に接続されるＴＶモニタ・スピーカ０１０６は、本受信装置０１００内に取り込まれていてもよいし、外部に接続される形態でもよい。また、データ受信部０１０１で受信した番組情報は、ユーザ所望番組選出部０１０５に送信される。ユーザ所望番組選出部０１０５では、ユーザ嗜好入力部０１０４において入力されたユーザ嗜好に合致するコンテンツデータの番組情報を検索し、ユーザ嗜好に合致するコンテンツデータに対しては、ユーザ所望のコンテンツデータとしてデコード・出力部０１０２に通知する。
【００３７】
図２の概念図において、ユーザ嗜好に合致したコンテンツデータは、番組リスト０２０１のリアルタイムコンテンツＲＴＣ-１およびＲＴＣ-２である。また、ユーザ所望番組選出部０１０５においてユーザ所望のコンテンツデータを選出した結果、ユーザ嗜好に合致するコンテンツデータが存在しない時間帯に対しては、蓄積部０１０３内の蓄積媒体に蓄えられているコンテンツデータ、およびその番組情報を検索し、ユーザ所望のコンテンツデータの放送空き時間に組み込んで放送するよう、デコード・出力部０１０２に通知する。通知を受けたデコード・出力部０１０２では、ユーザ所望番組選出部０１０５から指定されたコンテンツデータを外部に映像・音声として送出する。図２の概念図において、選出された蓄積媒体内のコンテンツデータはＳＣ-１、およびＳＣ-２である。最終的に作成されるユーザ所望番組は、０２０３に示したものとなり、ユーザは自分が所望したコンテンツを、自分が多くのコンテンツの中から探すことなく、視聴することが可能となる。
【００３８】
また、図１の受信装置において、ユーザがユーザ所望のコンテンツを視聴する時間を入力するユーザ視聴時間入力部を付け加えた受信装置を図３に示す。符号０３００〜０３０６までは、図１の０１００〜０１０６の構成と同様である。新たに追加したユーザ視聴時間入力部０３０７では、ユーザ嗜好だけでなく、ユーザがユーザ所望のコンテンツを視聴する時間帯を入力するためのブロックである。ユーザ視聴時間を入力し、ユーザ嗜好と組み合わせることにより、ユーザが指定した時間帯によって選出するコンテンツデータのジャンルを変更することも可能となる。
【００３９】
図４において、ユーザ視聴時間入力部０３０７とユーザ嗜好入力部０３０４とを用いてユーザ嗜好を入力した場合の１例を示す。図４では、ユーザ視聴時間をユーザ視聴時間Ａと、ユーザ視聴時間Ｂに設定し、ユーザ視聴時間Ａにおいては“スポーツ”“野球”というユーザ嗜好を設定し、ユーザ視聴時間Ｂにおいては、“映画”“サスペンス”というユーザ嗜好を設定した。本受信装置では、データ受信部０３０１で受信された番組情報から上記の“スポーツ”、“野球”、“映画”、“サスペンス”というユーザ嗜好に合致したコンテンツデータを選出し、それぞれのユーザ視聴時間のユーザ嗜好に合致したコンテンツデータを構成することが可能となる。なお、本発明では、入力するユーザ嗜好数、およびユーザ所望番組数は規定しない。
【００４０】
ユーザ所望のコンテンツデータの構成方法について図５のフローチャートを用いて説明する。ここでの説明は、データ受信部０１０１，０３０１で受信した番組情報からユーザ嗜好に合致したコンテンツデータを選出したものを入力とし、放送の放送空き時間となった時間帯に対して蓄積媒体内のコンテンツデータを組み込む方法を説明するものである。ステップＳ０５０１において、現在取得している番組情報を全て検索したかを判定する。現在取得している番組情報全てを検索したら構成処理終了、未検索部分が存在するならばステップＳ０５０２へ進む。ステップＳ０５０２では、現在構成されているユーザ所望番組において放送空き時間が存在するかを判定し、放送空き時間がなければ構成処理を終了し、一方、放送空き時間が存在すればステップＳ０５０３へ進む。ステップＳ０５０３では、現在構成しているユーザ所望のコンテンツデータの放送空き時間を計算し、ステップＳ０５０４において蓄積媒体内の番組情報から、蓄積媒体内に蓄えられているコンテンツデータの放送時間を取得する。ステップＳ０５０５において、放送空き時間と、蓄積媒体内のコンテンツデータの放送時間を比較し、放送空き時間内に収まるものがあれば、ステップＳ０５０６において、そのコンテンツデータをユーザ所望のコンテンツデータとして、その時間に登録する。放送空き時間に収まるものがなければ、ステップＳ０５０１に戻り、次の放送空き時間に組み込むための蓄積媒体内のコンテンツデータの検索を行う。放送空き時間に収まるコンテンツデータが複数ある場合には、その中で最もユーザ嗜好に合致したコンテンツデータを組み込むものとする。
【００４１】
（第２の実施形態）
以下、図面を参照して、本発明の第２の実施形態に係わる受信装置について説明する。第２の実施形態における受信装置の構成を示すブロック図を図６に示す。
【００４２】
本実施形態の受信装置は、上記の第１の実施形態の受信装置に、データの出力先を切り替えるためのデータ出力切り替え部０６０８を備えたものであり、その他のブロック構成は、図３に記載の符号０３００〜０３０７と同様の構成である。
【００４３】
データ出力切り替え部０６０８は、ユーザ所望番組選出部０６０５において選出された結果、そのコンテンツデータを蓄積部０６０３に送出するか、デコード・出力部０６０２に送出するかの切り替えを行う。
【００４４】
このように構成することにより、ユーザ所望番組選出部０６０５において選出されたコンテンツデータをユーザが視聴できない場合等において、一旦、蓄積媒体に蓄積することが可能となり、ユーザにとってはユーザ所望のコンテンツデータを見逃すことを少なくすることが可能となる。その１例として図７を用いて説明する。
【００４５】
図７の番組リスト０７０１においてリアルタイムコンテンツＲＴＣ-１，ＲＴＣ-２の２つのコンテンツデータがユーザ嗜好に合致しユーザ所望のコンテンツデータとして選出された場合、放送時間が重なっているため、２つのコンテンツデータを同時に放送することは不可能である。本実施形態では、リアルタイムコンテンツＲＴＣ-１，ＲＴＣ-２の各コンテンツデータの番組情報からユーザ嗜好により合致するものを選出し、リアルタイムで視聴したいものを優先的にリアルタイムで放送するようにユーザ所望番組に登録する。それ以外のコンテンツデータ（図７の場合、リアルタイムコンテンツＲＴＣ２）は、一旦、蓄積媒体０７０２に蓄積し、リアルタイムコンテンツＲＴＣ-１の放送が終了した後の時間帯で放送する。
【００４６】
上記の方法で、ユーザ嗜好に合致したコンテンツデータをより多くユーザ所望番組０７０３として登録することができ、ユーザにとっては、嗜好に合ったコンテンツをより多く視聴することが可能になる。
【００４７】
ユーザ嗜好の入力の際に、“リアルタイムでしか視聴しない”、また“必ず視聴したいので、後まわしでもよい”いうようなフラグを作成することによって、リアルタイム性が要求される、例えばニュースや、スポーツ番組を優先的にリアルタイムで視聴し、例えば映画や、ドラマのような、後まわしでもよいから、必ず視聴したいというものは蓄積媒体に蓄えてでも、必ずユーザ所望番組に登録するといったことも可能となる。
【００４８】
以下では、第２の実施形態の受信装置を用いて、蓄積媒体内のコンテンツデータを放送空き時間に組み込む際、蓄積媒体内のコンテンツデータに対して十分な放送空き時間がなかった場合の操作方法を、図を用いて説明する。
【００４９】
図８では、番組リスト０８０１から、ユーザ所望番組選出部０６０５においてリアルタイムコンテンツＲＴＣ-１およびＲＴＣ-２がリアルタイムで放送するユーザ所望のコンテンツデータとして選出されている。その後、リアルタイムコンテンツＲＴＣ-１，ＲＴＣ-２の間の放送空き時間に、蓄積媒体０８０２内のコンテンツデータを組み込むとする。このとき、蓄積媒体０８０２内に蓄えられているどのコンテンツデータも、放送空き時間以上のものである。そのような場合において、リアルタイムに放送する予定のリアルタイムコンテンツＲＴＣ-２の優先度と、蓄積媒体０８０２内のコンテンツデータＳＣ-２の優先度を比較し、もし、コンテンツデータＳＣ-２の方がユーザ嗜好に合致すると判断した場合、またリアルタイムコンテンツＲＴＣ-２をリアルタイムで放送する必要がないと判断できた場合は、リアルタイムコンテンツＲＴＣ-２を一旦、蓄積媒体０８０２に蓄積することによって、コンテンツデータＳＣ-２を組み込むための放送空き時間を確保することが可能となる。
【００５０】
ここで言う優先度とは、ユーザ嗜好にどちらが合致しているかを表すものである。例えばユーザ嗜好入力部０６０４で入力されたユーザ嗜好１つ１つにポイントを付加し、各コンテンツに合致したユーザ嗜好の合計ポイントが多い方をより優先度の高いコンテンツデータであると判断しても良い。また、“このユーザ嗜好を含むコンテンツは必ずリアルタイムで視聴する”というような絶対条件を付け加えることも可能である。本発明は、ユーザ嗜好の種類、コンテンツデータの優先度の付け方に関しては制限を持つものではない。
【００５１】
図８を用いて説明したユーザ所望番組構成方法に関して、図９のフローチャートを用いて説明する。ここでの説明は、データ受信部０６０１で受信したデータの中で、ユーザ嗜好に合致し、リアルタイムで放送するコンテンツデータを既に選出したユーザ所望のコンテンツデータを入力とする。
【００５２】
ステップＳ０９０１において、現在取得している番組情報を全て検索したかを判定する。現在取得している番組情報全てを検索していたら構成処理を終了し、一方、未検索部分が存在するならばステップＳ０９０２へ進む。ステップＳ０９０２では、現在構成済みのユーザ所望番組において放送空き時間が存在するかを判定し、放送空き時間がなければ構成処理を終了し、一方、放送空き時間が存在すれば、ステップＳ０９０３へ進む。ステップＳ０９０３では、現在構成しているユーザ所望番組で次のリアルタイムコンテンツ（ＲＴＣ）までの時間を計算し、ステップＳ０９０４において蓄積媒体内の番組情報から、蓄積媒体内に蓄えられているコンテンツデータの放送時間を取得する。ステップＳ０９０５において、放送空き時間と、蓄積媒体０８０２内のコンテンツデータの放送時間を比較し、放送空き時間に収まるコンテンツデータがあれば、ステップＳ０９０６においてそのコンテンツデータをユーザ所望のコンテンツデータのその時間に登録する。一方、放送空き時間に収まるものがなければ、ステップＳ０９０７において、現在の放送空き時間を決定しているリアルタイムコンテンツと蓄積媒体０８０２内のコンテンツデータの優先度を比較し、リアルタイムコンテンツよりもその時間において視聴したい蓄積媒体内コンテンツデータが存在した場合は、ステップＳ０９０８において、蓄積媒体０８０２内のそのコンテンツデータをその時間のユーザ所望のコンテンツデータとして登録し、放送時間をずらしたリアルタイムコンテンツは、ステップＳ０９０９において蓄積媒体０８０２内のコンテンツデータとして登録すると共に、実際にコンテンツデータを蓄積媒体０８０２に蓄える。一方、ステップＳ０９０７において、リアルタイムコンテンツよりも優先度の高い蓄積媒体内コンテンツデータが存在しなかった場合は、その放送空き時間に組み込むコンテンツデータは存在しないとして、ステップＳ０９０１に戻る。
【００５３】
図９を用いて説明したユーザ所望番組構成方法では、一旦、蓄積媒体に蓄積されたリアルタイムコンテンツがユーザ所望のコンテンツデータとして選出されるかどうかは不明であるが、リアルタイムコンテンツを蓄積媒体に蓄える際、その優先度を高い値に設定するか、リアルタイムコンテンツに取って代わった蓄積媒体内のコンテンツデータ直後に放送することを表す情報を付加して蓄積することによって、リアルタイムコンテンツの放送時間が後回しになることを防ぐことも可能である。
【００５４】
次に、蓄積媒体内のコンテンツデータに対して十分な放送空き時間がなかった場合の操作方法に関して、本発明で提案するもう１つの方法を、図を用いて説明する。
【００５５】
図１０は、番組リスト１００１から、ユーザ所望番組選出部０１０５，０３０５，０６０５においてリアルタイムコンテンツＲＴＣ-１およびＲＴＣ-２がリアルタイムで放送するユーザ所望のコンテンツデータとして選出されている。その後、リアルタイムコンテンツＲＴＣ-１，ＲＴＣ-２の間の放送空き時間に、蓄積媒体１００２内のコンテンツデータを組み込むとする。このとき、蓄積媒体１００２内に蓄えられているどのコンテンツデータも、放送空き時間以上のものである。そこで、蓄積媒体１００２内のコンテンツデータの中から、ユーザ嗜好に合致するコンテンツデータを選出し、それらを放送空き時間に組み込める大きさに分割する。この分割によって、放送空き時間を埋めていくものである。図１０では、蓄積媒体１００２内から選出されたコンテンツデータをＳＣ-２として、コンテンツデータＳＣ-２をＳＣ-２′とＳＣ-２″とに分割することによって、リアルタイムコンテンツＲＴＣ-１，ＲＴＣ-２の間の放送空き時間を埋めることを実現している。
【００５６】
本方法では、蓄積媒体内のコンテンツデータが任意の大きさに分割できることが前提である。現在のデジタル放送で主に用いられているＭＰＥＧ２−ＴＳ方式では、トランスポートストリームで送られてきたデータをエレメンタリーストリーム（ＥＳ）形式まで落とし込み、そのエレメンタリーストリームをデコードすることによって、映像や音声、番組情報を取得している。このＭＰＥＧ２−ＴＳ方式の放送では、映像や音声のデータをある程度の大きさで分割することが可能である。また、図１０で説明したユーザ所望番組構成方法は、図１または図３で説明したデータ出力切り替え部を備えない受信装置でも実現できるものである。
【００５７】
図１０を用いて説明したユーザ所望番組構成方法に関して、図１１のフローチャートを用いて説明する。ここでの説明は、データ受信部０１０１，０３０１，０６０１で受信したデータの中で、ユーザ嗜好に合致し、リアルタイムで放送するコンテンツデータがユーザ所望のコンテンツデータとして既に選出されているものとする。
【００５８】
ステップＳ１１０１において、現在取得している番組情報を全て検索したかを判定する。現在取得している番組情報全てを検索していたら構成処理を終了し、一方、未検索部分が存在するならば、ステップＳ１１０２へ進む。ステップＳ１１０２では、現在構成済みのユーザ所望番組において放送空き時間が存在するかを判定し、放送空き時間がなければ構成処理を終了し、一方、放送空き時間が存在すれば、ステップＳ１１０３へ進む。ステップＳ１１０３において次のリアルタイムコンテンツまでの放送空き時間を取得し、ステップＳ１１０４において蓄積媒体内の番組情報から、蓄積媒体内に蓄えられているコンテンツデータの放送時間を取得する。ステップＳ１１０５において、放送空き時間と、蓄積媒体内のコンテンツデータの放送時間を比較し、放送空き時間に収まるコンテンツデータが存在すれば、ステップＳ１１０６においてそのコンテンツデータをユーザ所望のコンテンツデータのその時間に登録する。一方、放送空き時間に収まるものがなければ、ステップＳ１１０７において、蓄積媒体内のコンテンツデータの中で分割可能なコンテンツデータが存在するかを判定する。分割可能な蓄積媒体内コンテンツデータが存在すれば、ステップＳ１１０８においてそのコンテンツデータを分割し、ステップＳ１１０９において現在のリアルタイムコンテンツの前後に登録する。ステップＳ１１０７において、分割できる蓄積媒体内コンテンツデータが存在しない場合は、放送空き時間を埋めるコンテンツデータが存在しなかったとして、ステップＳ１１０１に戻り、次の放送空き時間の探索を行う。
【００５９】
本実施形態の説明においては、図８、図９のユーザ所望番組構成方法と図１０、図１１のユーザ所望番組構成方法とは互いに別のものとして説明したが、上記の２つの方法を組み合わせて用いることも可能である。また、番組情報とユーザ嗜好を参照し、各コンテンツデータに対して視聴優先度を指定することによって、蓄積媒体内のコンテンツデータの組み込み方を自動的に変更することによって、ユーザに負担をかけずして、ユーザ嗜好に合致したコンテンツデータを得ることが可能となる。
【００６０】
（第３の実施形態）
以下、図面を参照して、本発明の第３の実施形態にかかわる受信装置について説明する。第３の実施形態における受信装置の構成を示すブロック図を図１２に示す。
【００６１】
本実施形態の受信装置は、上記の第２の実施形態の受信装置に対して、蓄積媒体に対して新たなコンテンツデータが追加されたこと、および、蓄積媒体内のコンテンツデータが削除されたことを、ユーザ所望番組選出部１２０５に対して通知するための蓄積媒体変更通知部１２０９を備えたものであり、そのほかのブロック構成は、図６に記載の符号０６００〜０６０８と同様の構成である。
【００６２】
蓄積媒体変更通知部１２０９を備えることにより、ユーザが任意のタイミングで蓄積媒体内のコンテンツデータを削除した場合や、蓄積媒体内に新たなコンテンツデータを追加した場合においても、即座にユーザ所望のコンテンツデータを再構成することが可能となっている。
【００６３】
以下では、蓄積媒体内のコンテンツデータを削除した場合と、蓄積媒体に新たなコンテンツデータを追加した場合について図を用いて説明する。
【００６４】
まず、蓄積媒体内のコンテンツデータを削除した場合のユーザ所望番組再構成方法について説明する。図１３は、蓄積媒体内のコンテンツデータで、ユーザ所望番組に登録されているコンテンツデータを削除した場合の、ユーザ所望番組再構成方法の概念図である。蓄積媒体１３０２内のコンテンツデータを削除する前は、番組リスト１３０１からユーザ所望番組１３０３が構成されていたものとする。ユーザによって、蓄積媒体１３０２内のコンテンツデータからコンテンツデータＳＣ-２が削除された場合を想定する。コンテンツデータの削除後は、ユーザ所望番組において大きな放送空き時間が空いてしまうので、再構成する必要性が発生する。コンテンツデータＳＣ-２を削除し、ユーザ所望のコンテンツデータの再構成を行った結果、新たなユーザ所望番組１３０４が再構成される。
【００６５】
図１３で説明した蓄積媒体内のコンテンツデータを削除した場合のユーザ所望番組再構成方法の手順を、図１４に示したフローチャートにより説明する。本方法では、ユーザ所望のコンテンツデータが既に構成済みであることを想定している。ステップＳ１４０１において、削除された蓄積媒体内コンテンツデータは、ユーザ所望番組であるかを判定する。ユーザ所望番組でなければ、再構成を行う必要はなく、ユーザ所望番組再構成処理は終了する。削除された蓄積媒体内コンテンツデータがユーザ所望番組であれば、ステップＳ１４０２において、削除されたコンテンツデータをユーザ所望番組から削除する。ステップＳ１４０３において、次のリアルタイムコンテンツまでの放送空き時間を計算し、ステップＳ１４０４において蓄積媒体内コンテンツデータの放送時間を取得する。ステップＳ１４０５において、放送空き時間と蓄積媒体内コンテンツデータの放送時間とを比較し、放送空き時間に収まる蓄積媒体内コンテンツデータがあれば、ステップＳ１４０６においてその蓄積媒体内コンテンツデータをユーザ所望のコンテンツデータとして登録する。一方、放送空き時間に収まる蓄積媒体内コンテンツデータがなければ、その放送空き時間に組み込む蓄積媒体内コンテンツデータは存在しないとして、ユーザ所望番組再構成処理を終了する。
【００６６】
図１４のユーザ所望のコンテンツデータの再構成方法では、放送空き時間において組み込む蓄積媒体内コンテンツデータが存在しなかったら処理を終了するとしたが、図１１の場合と同様にして、蓄積媒体内コンテンツデータを分割して、放送空き時間に組み込むことも可能である。
【００６７】
次に、蓄積媒体に対して新たなコンテンツデータを追加した場合の再構成方法について説明する。図１５は、新たなコンテンツデータを蓄積媒体に追加することによって、ユーザ所望のコンテンツデータを再構成する場合の構成方法を表した概念図である。
【００６８】
蓄積媒体１５０２に対して、新たなコンテンツデータを追加する前は、番組リスト１５０１からユーザ所望番組１５０３が構成されていたものとする。ユーザによって、蓄積媒体１５０２に新たな蓄積媒体内コンテンツデータＳＣ-４が追加された場合を想定する。また、図１５に示した例は、コンテンツデータＳＣ-４が追加された時間は、リアルタイムコンテンツＲＴＣ-１を視聴している間とする。ユーザによりコンテンツデータＳＣ-４が追加された場合、蓄積媒体変更通知部１２０９により新たなコンテンツデータが追加されたことを通知されたユーザ所望番組選出部１２０５では、追加した時刻以降のユーザ所望のコンテンツデータを再構成する。再構成を行った結果、ユーザ所望番組は、新たなユーザ所望番組１５０４に更新される。
【００６９】
図１５で説明した蓄積媒体１５０２に対して新たなコンテンツデータを追加した場合のユーザ所望のコンテンツデータの再構成方法の手順を、図１６に示したフローチャートにより説明する。本方法では、図１４に示したフローチャート同様、ユーザ所望のコンテンツデータが既に構成済みであることを想定している。ステップＳ１６０１において、新たに追加されたコンテンツデータの番組情報からそのコンテンツデータの優先度を設定し、またユーザ所望番組１５０３に登録されているその他の蓄積媒体内コンテンツデータをユーザ所望番組から削除する。ステップＳ１６０２において、現在取得している番組情報を全て検索したかを判定する。全ての番組情報を検索していれば、再構成処理を終了する。番組情報の中でまだ未検索のものがあるならば、ステップＳ１６０３において次のリアルタイムコンテンツまでの放送空き時間を計算し、ステップＳ１６０４において蓄積媒体内の番組情報から優先度順を探索する。ステップＳ１６０５において、放送空き時間と蓄積媒体内コンテンツデータの放送時間とを比較し、放送空き時間に収まるコンテンツデータが存在するならば、ステップＳ１６０６においてその蓄積媒体内コンテンツデータをユーザ所望のコンテンツデータとして登録する。一方、放送空き時間に収まるコンテンツデータが存在しないならば、その放送空き時間に組み込む蓄積媒体内コンテンツデータは存在しないとして、ステップＳ１６０２に戻る。
【００７０】
図１６のフローチャートでは、放送空き時間に収まる蓄積媒体内コンテンツデータが存在しない場合は、次の放送空き時間に組み込む処理に移るものであったが、図９に示したように、リアルタイムコンテンツの放送時間を遅らせることによって、蓄積媒体内コンテンツデータの放送時間を確保する方法や、図１１に示したように、放送空き時間に蓄積媒体内コンテンツデータを組み込むために、蓄積媒体内コンテンツデータを分割する方法を利用することも可能である。
【００７１】
（第４の実施形態）
以下、図面を参照して、本発明の第４の実施形態にかかわる受信装置について説明する。第４の実施形態における受信装置の構成を示すブロック図を図１７に示す。
【００７２】
本実施形態の受信装置は、上記の第３の実施形態の受信装置に対して、ユーザ所望のコンテンツデータの構成を従来のＥＰＧにユーザ所望番組リストとして出力するためのユーザ所望番組リスト作成部１７１０を備えたものである。ユーザ所望番組リストを表示することにより、ユーザは実際にユーザ所望のコンテンツを視聴することなく、ユーザ所望のコンテンツデータの構成を知ることができる。さらには、ユーザ所望のコンテンツデータの中にユーザの嗜好に合致しないコンテンツデータが含まれている場合は、そのコンテンツデータを削除して新たなユーザ所望のコンテンツデータを再構成することも可能となる。
【産業上の利用可能性】
【００７３】
本発明にかかる受信装置は、複数の映像・音声（コンテンツ）、番組情報が多重化されたデータを受信し、その中からユーザが視聴したいと欲するコンテンツだけを取り出すことができる受信装置、例えばＨＤＤを備えたデジタルテレビ受信装置等の用途に適用できる。
【図面の簡単な説明】
【００７４】
【図１】本発明の第１の実施の形態における受信装置の構成を示すブロック図
【図２】第１の実施形態におけるユーザ所望番組構成方法の概念図
【図３】第１の実施形態においてユーザ視聴時間入力部を備えた場合の構成を示すブロック図
【図４】第１の実施形態においてユーザ視聴時間入力部を備えた場合のユーザ嗜好入力例
【図５】第１の実施形態におけるユーザ所望番組構成方法を示すフローチャート
【図６】本発明の第２の実施の形態における受信装置の構成を示すブロック図
【図７】第２の実施形態において同一時間帯にユーザ所望のコンテンツデータが重なっていた場合のユーザ所望番組構成方法の概念図
【図８】第２の実施形態においてリアルタイムコンテンツを時間的にずらすユーザ所望番組構成方法の概念図
【図９】第２の実施形態における図８の場合のユーザ所望番組構成方法を示すフローチャート
【図１０】第２の実施形態において蓄積媒体内のコンテンツデータを分割するユーザ所望番組構成方法の概念図
【図１１】第２の実施形態における図１０の場合のユーザ所望番組構成方法を示すフローチャート
【図１２】本発明の第３の実施の形態における受信装置の構成を示すブロック図
【図１３】第３の実施形態における蓄積媒体内のコンテンツデータを削除した場合のユーザ所望番組再構成方法の概念図
【図１４】第３の実施形態における図１３の場合のユーザ所望番組再構成方法を示すフローチャート
【図１５】第３の実施形態における蓄積媒体に対して新たなコンテンツデータを追加した場合のユーザ所望番組再構成方法の概念図
【図１６】第３の実施形態における図１５の場合のユーザ所望番組再構成方法を示すフローチャート
【図１７】本発明の第４の実施の形態における受信装置の構成を示すブロック図
【符号の説明】
【００７５】
０１００，０３００，０６００，１２００，１７００  受信装置
０１０１，０３０１，０６０１，１２０１，１７０１：データ受信部
０１０２，０３０２，０６０２，１２０２，１７０２：デコード・出力部
０１０３，０３０３，０６０３，１２０３，１７０３  蓄積部
０１０４，０３０４，０６０４，１２０４，１７０４：ユーザ嗜好入力部
０１０５，０３０５，０６０５，１２０５，１７０５：ユーザ所望番組選出部
０１０６，０３０６，０６０６，１２０６，１７０６：ＴＶモニタ・スピーカ
０３０７，０６０７，１２０７，１７０７：ユーザ視聴時間入力部
０６０８，１２０８，１７０８：データ出力切り替え部
１２０９，１７０９：蓄積媒体変更通知部
１７１０：ユーザ所望番組リスト作成部 
【図１】
2005244472.tif 000003
【図２】
2005244472.tif 000004
【図３】
2005244472.tif 000005
【図４】
2005244472.tif 000006
【図５】
2005244472.tif 000007
【図６】
2005244472.tif 000008
【図７】
2005244472.tif 000009
【図８】
2005244472.tif 000010
【図９】
2005244472.tif 000011
【図１０】
2005244472.tif 000012
【図１１】
2005244472.tif 000013
【図１２】
2005244472.tif 000014
【図１３】
2005244472.tif 000015
【図１４】
2005244472.tif 000016
【図１５】
2005244472.tif 000017
【図１６】
2005244472.tif 000018
【図１７】
2005244472.tif 000019